(57)【特許請求の範囲】
【請求項１】
第１のシャーシに、電気部品又は光部品を搭載する第２のシャーシが組み込まれたユニットが複数個連結されたユニット連結構造において、複数個のユニットを連結するに際して、上記各ユニットにおける第１のシャーシ同士をネジ止めするとともに、上記ネジ穴と上記電気部品又は光部品との間に壁を設け、
上記壁は、上記第２のシャーシに設けられたことを特徴とするユニット連結構造。
【請求項２】
壁は、
ネジ穴に存在する金属屑が上記電気部品上へ落下することを防止するものであることを特徴とする請求項１記載のユニット連結構造。
【請求項３】
ネジの締結時にネジ穴から放出される金属屑の存在空間が密閉空間になるように、第２のシャーシに設けた壁の先端を第１のシャーシに当てることを特徴とする請求項１又は請求項２記載の光海底中継器。
【請求項４】
第１のシャーシは、光部品又は電気部品を搭載することを特徴とする請求項１乃至請求項３のいずれか１項記載のユニット連結構造。
【発明の詳細な説明】
【０００１】
【発明の属する技術分野】
この発明は、複数のユニットが連結された光海底中継器に関するものである。
【０００２】
【従来の技術】
図４は従来の光海底中継器を示す断面図であり、図において、１は電気部品や光部品が実装された基板、２は基板１を搭載する基板実装シャーシ、３は連結シャーシ、４は基板実装シャーシ２を連結シャーシ３に結合するネジ、４ａはネジ４のネジ穴である。
【０００３】
次に動作について説明する。
複数の基板１を光海底中継器に実装する必要がある場合、ネジ４を用いて複数の基板実装シャーシ２を連結シャーシ３に締結する。
この場合、ネジ４のネジ穴４ａに金属屑が存在すると、ネジ４の締結時に当該金属屑が基板１上に落下するおそれがある。
【０００４】
【発明が解決しようとする課題】
従来の光海底中継器は以上のように構成されているので、数多くの基板１を実装することができるが、ネジ４のネジ穴４ａに金属屑が存在すると、ネジ４の締結時に当該金属屑が基板１上に落下して、回路がショートするおそれがある課題があった。
【０００５】
この発明は上記のような課題を解決するためになされたもので、金属屑の落下による回路のシュートを防止することができる光海底中継器を得ることを目的とする。
【０００６】
【課題を解決するための手段】
この発明に係るユニット連結構造は、第１のシャーシに、電気部品又は光部品を搭載する第２のシャーシが組み込まれたユニットが複数個連結されたユニット連結構造において、複数個のユニットを連結するに際して、上記各ユニットにおける第１のシャーシ同士をネジ止めするとともに、上記ネジ穴と上記電気部品又は光部品との間に壁を設け、上記壁は、上記第２のシャーシに設けられたものである。
【０００７】
この発明に係るユニット連結構造は、壁はネジ穴に存在する金属屑が電気部品上へ落下することを防止するようにしたものである。
【０００９】
この発明に係るユニット連結構造は、ネジの締結時にネジ穴から放出される金属屑の存在空間が密閉空間になるように、第２のシャーシに設けた壁の先端を第１のシャーシに当てるようにしたものである。
この発明に係るユニット連結構造は、第１のシャーシは、光部品又は電気部品を搭載するようにしたものである。
【００１０】
【発明の実施の形態】
以下、この発明の実施の一形態を説明する。
実施の形態１．
図１はこの発明の実施の形態１による光海底中継器を示す断面図であり、図において、１１は光部品、１２は電気部品、１３は光部品１１を搭載する光部品搭載シャーシ（第１のシャーシ）、１４は光部品搭載シャーシ１３に組み込まれ、電気部品１２を搭載する電気部品搭載シャーシ（第２のシャーシ）、１４ａはネジ穴１５ａに存在する金属屑が電気部品１２上へ落下するのを防止する電気部品搭載シャーシ１４の壁である。図２は図１のＡ部拡大図である。
なお、光部品搭載シャーシ１３と電気部品搭載シャーシ１４から１つのユニットが構成されている。１５は複数個のユニットを連結するネジ、１５ａはネジ穴である。
【００１１】
次に動作について説明する。
多くの光部品１１や電気部品１２を光海底中継器に実装する必要がある場合、光部品搭載シャーシ１３と電気部品搭載シャーシ１４から構成されたユニットを複数個連結する。
即ち、各ユニットにおける光部品搭載シャーシ１３同士をネジ１５で締結することにより、複数個のユニットを連結する。
【００１２】
この場合、ネジ１５のネジ穴１５ａに金属屑が存在すると、ネジ１５の締結時に当該金属屑が光部品搭載シャーシ１３と電気部品搭載シャーシ１４の隙間に落下することがあるが、電気部品搭載シャーシ１４に壁１４ａが設けられているので、当該金属屑が電気部品１２上に落下することはない。
よって、金属屑の落下による回路のシュートを防止することができる効果を奏する。
【００１３】
実施の形態２．
上記実施の形態１では、ネジ穴１５ａに存在する金属屑が電気部品１２上へ落下するのを防止するため、電気部品搭載シャーシ１４に壁１４ａを設けるものについて示したが、図３に示すように、ネジ１５の締結時にネジ穴１５ａから放出される金属屑の存在空間が密閉空間になるように、電気部品搭載シャーシ１４に設けた壁１４ａの先端を光部品搭載シャーシ１３に当てるようにしてもよい。
この場合、電気部品１２上への金属屑の落下を確実に防止することができる効果を奏する。
【００１４】
実施の形態３．
上記実施の形態１，２では、第１のシャーシに光部品１１を搭載し、第２のシャーシに電気部品１２を搭載するものについて示したが、第１のシャーシに電気部品１２を搭載し、第２のシャーシに光部品１１を搭載するようにしてもよい。
この場合、金属屑が光部品１１上へ落下するのを防止することができる。したがって、光部品１１上へ落下した金属屑が電気部品１２上へ回り込むことにより発生する回路ショートを防止することができる。
【００１５】
【発明の効果】
以上のように、この発明によれば、第１のシャーシに、電気部品又は光部品を搭載する第２のシャーシが組み込まれたユニットが複数個連結されたユニット連結構造において、複数個のユニットを連結するに際して、上記各ユニットにおける第１のシャーシ同士をネジ止めするとともに、上記ネジ穴と上記電気部品又は光部品との間に壁を設け、上記壁は、上記第２のシャーシに設けるように構成したので、金属屑の落下による回路のシュートを防止することができる効果がある。
【００１６】
この発明によれば、壁はねじ穴に存在する金属屑が電気部品上へ落下することを防止するように構成したので、電気部品への金属屑の落下を確実に防止することができる効果がある。
【００１８】
この発明によれば、ネジの締結時にネジ穴から放出される金属屑の存在空間が密閉空間になるように、第２のシャーシに設けた壁の先端を第１のシャーシに当てるように構成したので、光部品への金属屑の落下を確実に防止することができる効果がある。
【図面の簡単な説明】
【図１】  この発明の実施の形態１による光海底中継器を示す断面図である。
【図２】  図１のＡ部拡大図である。
【図３】  図１のＡ部拡大図である。
【図４】  従来の光海底中継器を示す断面図である。
【符号の説明】
１１  光部品、１２  電気部品、１３  光部品搭載シャーシ（第１のシャーシ）、１４  電気部品搭載シャーシ（第２のシャーシ）、１４ａ  壁、１５  ネジ、１５ａ  ネジ穴。
【図１】
0004443787.tif 000002
【図２】
0004443787.tif 000003
【図３】
0004443787.tif 000004
【図４】
0004443787.tif 000005